(57)【要約】      （修正有）【課題】取り付け対象ストーブの炉体に設けられる排煙筒の向きに拘わらず排煙の流動にうねりとうず巻きを発現させて、すす粒子を落下し易い状態として、きれいな排煙のできるすす取り体を提供する。【解決手段】角筒状のすす取り体本体１と、本体１の一側下方に出入自在に取着されるＵ状のすす受けを有するすす取りケース４と、本体１の下方に配設される接続筒と、上方に配設される煙突接続筒と、内部に設けられる邪魔板とから成るすす取り体において、前記邪魔板が、前記本体１の排煙流入側で該排煙の流動に干渉して配設され、幅方向に沿って傾斜端縁１nを有する固定板と、固定板の上方で本体１に位置決め手段３を有して回動自在に軸支され、左右の翼面で回動軸心に沿う方向に傾斜する折曲ラインに沿って配設される傾斜排煙案内部を有し、排煙流路を広狭自在に調節して成る回動板２aとから成る。【選択図】図２
0003147226.tif 000002
【実用新案登録請求の範囲】
【請求項１】
角筒状のすす取り体本体と、該本体の一側下方に出入自在に取着されるすす取りケースと、該本体の下方に配設される接続筒と、上方に配設される煙突接続筒と、内部に設けられる邪魔板とから成るすす取り体において、
前記邪魔板が、前記本体の排煙流入側で排煙の流動に干渉して配設され、幅方向に沿って傾斜端縁を有する固定板と、該固定板の上方で該本体に位置決め手段を有して回動自在に軸支され、左右の翼面で回動軸心に沿う方向に傾斜する折曲ラインに沿って配設される傾斜排煙案内部を有し、排煙流路を広狭自在に調節して成る回動板とから成るすす取り体。
【請求項２】
前記すす取りケースの取着側底面に、該すす取りケースのすす受けの底面を貫通する穴が配設され、該穴に連通する連通口を開口したネジ座が前記底面に同心状に接合され、該ネジ座に水を収納したすす受けコップが着脱自在に接合されて成る請求項１記載のすす取り体。
【請求項３】
前記位置決め手段が、回動板に一体の接続部と該接続部と一体で直角に折曲配設される回動部とからなる回動軸において、該回動部の突端でネジ孔の軸心を前記接続部の軸心と平行にして接合されるネジ座と、該ネジ座に螺着される蝶ボルトとから成る請求項１又は２記載のすす取り体。
【考案の詳細な説明】
【技術分野】
【０００１】
本考案は、ストーブ主として薪ストーブの炉体に備える排煙筒に接続されて、既設の排煙系との調整もでき、かつ効果的なすす取り機能を有するすす取り体に関する。
【背景技術】
【０００２】
本件出願人の先の出願に係る実用新案登録第３１４２３７５号（特許文献１）におけるすす取り体は、すす取りケース１０の後端と回動自在に位置決めされる邪魔板とによる排煙制御であるため、ストーブの炉体に設けられる排煙筒が垂直方向である場合は対応できるが、水平方向の場合には、すす取りケース１０の後方上面が邪魔板の機能をなさず、乱流抵抗によるすす取り効果が十分に得られない面があった。
【特許文献１】実用新案登録第３１４２３７５号
【考案の開示】
【考案が解決しようとする課題】
【０００３】
本考案は、取り付け対象のストーブの炉体に設けられる排煙筒の向き(垂直又は水平)の如何に拘わらず、排煙の流動にうねりとうず巻きを発現させてすす粒子を落下し易い状態とし、きれいな排煙のできるすす取り体を提供しようとする。
【課題を解決するための手段】
【０００４】
本考案の請求項１に記載したすす取り体は、正面視台形状で平面視横長矩形の角筒状のすす取り体本体と、該本体の一側下方に出入自在に取着されるＵ状のすす受けを有するすす取りケースと、該本体の下方に配設される接続筒と、上方に配設される煙突接続筒と、内部に設けられる邪魔板とから成るすす取り体において、
前記邪魔板が、前記本体の排煙流入側で排煙の流動に干渉して配設され、幅方向に沿って傾斜端縁を有する固定板と、該固定板の上方で該本体に位置決め手段を有して回動自在に軸支され、左右の翼面で回動軸心に沿う方向に傾斜する折曲ラインに沿って配設される傾斜排煙案内部を有し、排煙流路を広狭自在に調節して成る回動板とから成る。
また、請求項２に記載した考案は、請求項１に記載したすす取り体において、
前記すす取り体本体のすす取りケースの取着側底面に、該すす取りケースのすす受けの底面を貫通する穴が配設され、該穴に連通する連通口を開口したネジ座が前記底面に同心状に接合され、該ネジ座に水を収納したすす受けコップが着脱自在に接合されて成る。
さらに、請求項３に記載した考案は、請求項１又は２に記載したすす取り体において、
前記位置決め手段が、回動板に一体の接続部と該接続部と一体で直角に折曲配設される回動部とからなる回動軸において、該回動部の突端でネジ孔の軸心を前記接続部の軸心と平行にして接合されるネジ座と、該ネジ座に螺着される蝶ボルトとから成る。
【考案の効果】
【０００５】
本考案のすす取り体によれば、固定板の傾斜端縁と、回動板の傾斜排煙案内部との協働作用によって排煙の流動にうねりとうず巻きを発現させ、すす粒子を落下させて黒煙の出ないきれいな排煙ができる。また、すす受けコップの水分の蒸発により、すす取り体本体の内部に湿気をもたせてすす粒子をより落下し易くできる。さらに、本位置決め手段によれば、蝶ボルトがハンドルとなって回動板による排煙調整がし易くなる上、その位置で蝶ボルトをネジ込むだけで簡単に回動板を位置決めできる。
【考案を実施するための最良の形態】
【０００６】
本考案のすす取り体本体の排煙流入側で該排煙の流動に干渉する固定板は、垂線に対して所要角度ですす取りケースの抜き取り方向（前方）に向けて傾斜させるとともに、その下端を幅方向において一側から他側に向けて長短による傾斜端縁として成り、回動板には左右の翼面に幅方向（回動軸心に沿う方向）の一側から他側に向けて傾斜する折曲ラインに沿って折曲形成される傾斜排煙案内部が配設され、固定板の傾斜端縁と回動板の傾斜排煙案内部とによって螺旋状の排煙流路が形成される。そして、回動板はすす取り体本体に対して一体的に回動自在なものから、抜き取り清掃、交換自在なものまで提供される。
また、すす取り体本体はストーブの炉体に設けられる排煙筒に接続された状態のみで該炉体に保持されるものから、すす取り体本体の下面に伸縮自在に設けられる脚によって保持されるものも提供される。さらに、すす取りケースはそのすす受けが単にＵ状断面のものから、その底面に穴をあけ、すす取り体本体の下面に開口した穴に連通させ、該穴に連通する連通口を開口したネジ座に着脱自在に接合されるすす受けコップの内部に連通するものも提供される。
【実施例】
【０００７】
本考案のすす取り体Ａを実施例により説明すると、図１、図２に示すように、正面視台形状で平面視横長矩形の角筒状のすす取り体本体１と、本体１の下面後方で開口される導煙口１aに連通して垂下される接続筒１bと、上面に開口される排煙口１cに連通して立設される煙突接続筒１dと、本体１の後方（左方）の傾斜側板１eの内面に垂線に対して所要角度ですす取りケース４の抜き取り方向（前方）に向けて傾斜させるとともにその下端を幅方向において一側から他側に向けて長短による傾斜端縁１nとして一体に垂下される固定板１fと、背面板１jから正面板１iに向けて水平に軸支される回動軸２に接合される回動板２aと、回動板２aの位置決め手段３と、本体１の前方（右方）の垂直側板１gの下方で内部へ出入自在に取着されるすす取りケース４とから成るを基本とする。
【０００８】
ここで、回動軸２と回動板２aとの関係及び回動板２aの位置決め手段３について説明すると、図２、図３に示すように、回動軸２は回動板２aを溶着する接続部２bと接続部２bに直角に配設される回動部２cとから成り、位置決め手段３は回動部２cの突端のネジ孔３aの軸心を接続部２bの軸心と平行にして接合されるネジ座３bと、ネジ座３bに螺着される蝶ボルト３cとから成る。そして回動板２aは、回動軸２の接続部２bが溶着される中央部のＶ字面２dと、Ｖ字面２dの左右にそれぞれ張り出す翼面２eと、各翼面２eの幅方向の一側から他側に向けて傾斜する折曲ライン２f、２fに沿って配設される傾斜排煙案内部２gとから成る。
したがって、固定板１fに対して所要姿勢で位置決めされた回動板２aによる排煙流路は、固定板１fの傾斜端縁１nと回動板２aの傾斜排煙案内部２gとによる螺旋状のうねりとなる。
【０００９】
すす取りケース４は図４に示すように、すす取り体本体１の垂直側板１gの下方に開口されたケース挿入口１hを閉塞する蓋４aと、蓋４aの内面に接合されるＵ状で所要長さのすす受け４bと、蓋４aの外面に接合される取手４cとから成る。
【００１０】
このようにして成るすす取り体Ａは、図８に示すように、薪ストーブＳの炉体Ｔの上部後方に立設される排煙筒Ｕにすす取り体本体１の下面に垂下される接続筒１bが外嵌されて使用される。その際に、薪ストーブＳの排煙筒Ｕの位置と屋外へ煙突を案内するメガネ石などの取付け口の位置とのずれを、すす取り体Ａの接続筒１bにおいてすす取り体本体１を回動し、煙突接続筒１dの位置を調節することで解消できる。また、薪ストーブＳの火力に相応して排煙流路を回動板２aによって広狭自在に調整し熱エネルギーの排出を調節する。回動板２aの傾斜排煙案内部２gと固定板１fの傾斜端縁１nとの協働により前記したように排煙流路に螺旋状のうねりを発現させる。固定板１fの上面や回動板２aの両端すなわち両傾斜排煙案内部２gの下面には乱流によるうず巻きが発現する。
したがって、排煙の流動中に発現するうねりとうず巻きによってすす粒子はすす取りケース４のすす受け４bに落下し、きれいな排煙となる。なお、図２の仮想線で示されるうねりの方向は、固定板１fの傾斜端縁１nの短尺な側を正面板１iの側から背面板１jの側へ変更し、回動板２aの傾斜排煙案内部２gを形成する折曲ライン２fの傾斜を逆方向へ変えれば逆のうねりが発現する。
【００１１】
回動板２aの位置決めは、ハンドルとしての蝶ボルト３cを持ち、回動部２cをアームとし接続部２bを支軸として回動板２aを所要姿勢に回動し、蝶ボルト３cをネジ座３bに締め込むことにより、蝶ボルト３cの先端を背面板１jに圧着すれば、回動板２aの姿勢を簡単に位置決めできる。
【００１２】
図５に示すすす取り体Ｂについて説明すると、このものは前記したすす取り体Ａにおいて、回動板２aを一体にする回動軸２が、背面板１jに開口された取出し口１kから取着板５と共にすす取り体本体１の内部から取り出しできるもので、回動板２aに付着したすす粒子を洗い落とすなどの清掃や回動板２a自体を交換することができる。その処理後は回動板２aを取出し口１kから内部に収め取着板５を背面板１jにビス５aで固定する。
【００１３】
図６に示すすす取り体Ｃについて説明すると、このものは前記すす取り体Ａの下面後方に垂下される接続筒１bに代えて、すす取り体本体１の傾斜側板１eの下方に横向きに開口された導煙口１aに連通して横設される接続筒１lを設けたもので、ダルマストーブなどの横向きの排煙筒Ｕに接続されて使用される。そのため、すす取り体の自重を支える脚６を伸縮自在に設けたものである。その脚６は長いネジ孔６aが螺設されてすす取り体本体１の下面に垂下される長尺のネジ座６bと、ネジ孔６aに伸縮自在に螺着される伸縮座６cとから成り、伸縮座６cはボルトのネジ軸６dに螺設される位置決めナット６eと、ボルトヘッド６fに溶着される支持板６gとから成る。
したがって、使用状態ではすす取り体本体１の横向きの接続筒１lがダルマストーブなどの横向きの排煙筒Ｕに外嵌接続できるように、脚６の伸縮座６cが伸縮されて適宜に調節され、すす取り体Ｃの自重が支持される。
【００１４】
図７に示すすす取り体Ｄを説明すると、このものは前記すす取り体Ａにおいて、すす取り体本体１の下面にあけた穴１mに連通する連通口７aを開口したネジ座７を該下面に溶着し、ネジ座７にすす受けコップ８を着脱自在に接合するとともに、すす受けコップ８の内部に水８aを収納し、すす取りケース４のすす受け４bの底面には前記穴１mに連通する穴４dをあけ、すす取りケース４の内部をすす受けコップ８の内部に連通し、すす受けコップ８に収納した水８aの蒸発により、その湿気をすす粒子に作用させてすす粒子を落下し易くしたものである。
【００１５】
以上にように本考案のすす取り体Ａ乃至Ｄは、固定板１fと回動板２aから成る邪魔板によって排煙流路にうねりとうず巻きを発現させてすす粒子を落下させ、落下したすす粒子をすす取りケース４のすす受け４bに回収して廃棄処理し、より一層きれいな排煙が達成されて環境にやさしい暖房具となる。
【産業上の利用可能性】
【００１６】
本考案のすす取り体は、一般的なストーブの排煙に利用できるが、主として先に提案済みの実用新案登録第３１４２３７５号の薪ストーブに適用されるもので、その性能向上により一層貢献できる。
【図面の簡単な説明】
【００１７】
【図１】本考案のすす取り体Ａの正面図。
【図２】図１の平面図。
【図３】回動板２aに回動軸２を一体にした状態の斜視図。
【図４】すす取りケース４の斜視図。
【図５】本考案のすす取り体Ｂの背面図。
【図６】本考案のすす取り体Ｃの正面図。
【図７】本考案のすす取り体Ｄの正面図。
【図８】本考案のすす取り体Ａの使用状態の説明図。
【符号の説明】
【００１８】
１：すす取り体本体
１a：導煙口
１b：接続筒
１c：排煙口
１d：煙突接続筒
１e：傾斜側板
１f：固定板
１g：垂直側板
１h：ケース挿入口
１i：正面板
１j：背面板
１k：取出し口
１l：接続筒
１m：穴
１n：傾斜端縁
２：回動軸
２a：回動板
２b：接続部
２c：回動部
２d：Ｖ字面
２e：翼面
２f：折曲ライン
２g：傾斜排煙案内部
３：位置決め手段
３a：ネジ孔
３b：ネジ座
３c：蝶ボルト
４：すす取りケース
４a：蓋
４b：すす受け
４c：取手
４d：穴
５：取着板
５a：ビス
６：脚
６a：ネジ孔
６b：ネジ座
６c：伸縮座
６d：ネジ軸
６e：位置決めナット
６f：ボルトヘッド
６g：支持板
７：ネジ座
７a：連通口
８：すす受けコップ
８a：水
Ａ乃至Ｄ：すす取り体
Ｓ：薪ストーブ
Ｔ：炉体
Ｕ：排煙筒
【図１】
0003147226.tif 000003
【図２】
0003147226.tif 000004
【図３】
0003147226.tif 000005
【図４】
0003147226.tif 000006
【図５】
0003147226.tif 000007
【図６】
0003147226.tif 000008
【図７】
0003147226.tif 000009
【図８】
0003147226.tif 000010